(57)【特許請求の範囲】
【請求項１】
ベースプレートと該ベースプレートに対して回動可能に結合させたギヤプレートとを備え、該ベースプレートとギヤプレートとの間にカムによりギヤプレートの内歯に係脱可能な外歯を有するロックギヤを直径方向に互いに対向して配設し、ロックギヤの外歯をギヤプレートの内歯に噛合するように付勢されたカムをレバープレートに係合させ、ギヤプレートの内歯からロックギヤの外歯を離脱させることによりギヤプレートの別の内歯に噛合可能な外歯を有するメモリーギヤを備え、メモリーギヤの外周とギヤプレートとの間にメモリーカムを回動可能に配設すると共にメモリーカムにはレバープレートに設けた起立部に係脱可能な凹部を備え、ギヤプレートには該ギヤプレートが前倒し時にメモリーカムを押圧してメモリーカムの凹部をレバープレートの起立部に係合させてロックオフ状態を保持する突出部を備え、メモリーギヤにはメモリーギヤがギヤプレートと噛合していない時に傾斜角度位置を記憶するために所定位置まで回動するように付勢するメモリースプリングを係合させると共にメモリーギヤが記憶した元の傾斜角度位置に復帰する時に所定位置でメモリーカムを押圧してメモリーカムの凹部をレバープレートの起立部から離脱させてロックオフ状態を解除してロックする突起を設けたメモリー機構を有するリクライニング装置。
【請求項２】
メモリーギヤにはロック時にメモリーギヤの外歯がギヤプレートの別の内歯と噛合しないように付勢されている補助メモリースプリングを備えると共にメモリーブラケットに移動可能に嵌合させたメモリーアームを係合させ、メモリーアームにはカム穴を形成し、レバープレートにはメモリーアームのカム穴に係合する別の起立部を備え、ロックオフ時にメモリーアームを介してメモリーギヤを押圧し、メモリーギヤの外歯をギヤプレートの別の内歯に噛合可能にした請求項１に記載のメモリー機構を有するリクライニング装置。
【発明の詳細な説明】
【技術分野】
【０００１】
本発明はシートバックを任意の傾斜角度に調整可能にすると共にウォークイン動作等でシートバックを前倒位置に移動させる際に元の傾斜角度位置を記憶させかつその傾斜位置に復帰させるメモリー機構を有するリクライニング装置に関するものである。
【背景技術】
【０００２】
この種のメモリー機構を有するリクライニング装置は特開２００６−６７１２号公報から公知である。この公知のリクライニング装置は円形のハウジングと円形のアッパーギヤーとにより形成されている内部空間にカムと、該カムに係合している３個のポールと、保持プレートと、作動プレートと、メモリープレートを収容し、操作レバーを解放させることにより、ポールの外歯をアッパーギヤーの内歯と噛合するようにロックスプリングによりカムを一方向に付勢し、カムの表面にカム穴を設け、そのカム穴に作動プレートの爪部を係合させ、カムの動きに応じて作動プレートを径方向に往復移動させ、作動プレートの動きに応じてメモリープレートをアッパーギヤーに係脱自在とさせてある。シートバックの前倒しにおいて操作レバーを操作させると、カムにより３個のポールの各外歯とアッパーギヤーの内歯との噛合を解除し、メモリープレートの外歯とアッパーギヤーの別の内歯とを噛合させてシート位置を記憶し、シートバックを前倒位置に移動させると、アッパーギヤーのピンが保持プレートの係合面を押圧し、ポールの突起部が保持プレートの溝部内に入り、アッパーギヤーと３個のポールの歯の解除状態が保持される。シートバックを元の位置に戻すと、アッパーギヤーがメモリープレートと共に回動するが、保持プレートはアッパーギヤーとポールとの解除状態を保持し、アッパーギヤーを更に回動させるとアッパーギヤーのピンが保持プレートの係合面から離れ、メモリープレートが操作前の角度位置に戻ると、メモリープレートが保持プレートの爪部を押圧して保持プレートを回動させ、ポールの突起部と保持プレートの溝部との係合を外し、それによりポールがアッパーギヤーと係合し、シートバックは前倒し前の元の位置に戻るようになっている。
【０００３】
【特許文献１】特開２００６−６７１２号公報
【発明の開示】
【発明が解決しようとする課題】
【０００４】
上述した従来技術のリクライニング装置は作動プレートの爪部を係合するためにカム穴を設けなければならないためカムの形状が複雑となり、カムに適用できるポールの構成が限定される問題があり、保持プレートと作動プレートとメモリープレートとをそれぞれ操作軸付近に重ね合わせているためユニットの厚さが増大すると共にそれらを設置するのに広いスペースを必要とし、またポールが保持プレートの溝部に乗り上がる段差が大きいためにアッパーギヤーの内歯とポールの外歯とを所定位置で迅速に係合させることができず、更に作動プレートを押圧するのはカムのカム穴でありかつ保持プレートの溝部に乗り上がるのはポールの突出部であってそれぞれ別部材であるため構造が複雑となる欠点がある。
【０００５】
本発明の目的はその構造が簡単で、シートバックの傾斜角度位置を正確に記憶しかつ記憶した傾斜角度位置に確実に戻るメモリー機構を有するリクライニング装置を提供することにある。
【課題を解決するための手段】
【０００６】
本発明によるリクライニング装置はベースプレートと該ベースプレートに対して回動可能に結合させたギヤプレートとを備え、該ベースプレートとギヤプレートとの間にカムによりギヤプレートの内歯に係脱可能な外歯を有するロックギヤを直径方向に互いに対向して配設し、カムには該カムがロックギヤの外歯をギヤプレートの内歯に噛合するように付勢されたレバープレートを係合させ、ギヤプレートの内歯からロックギヤの外歯を離脱させることによりギヤプレートの別の内歯に噛合可能な外歯を有するメモリーギヤを備えている。該メモリーギヤの外周とギヤプレートとの間にはメモリーカムが回動可能に配設され、メモリーカムはレバープレートに設けた起立部に係脱可能な凹部を有している。ギヤプレートには該ギヤプレートが前倒し時にメモリーカムを押圧してメモリーカムの凹部をレバープレートの起立部に係合させてロックオフ状態を維持する突出部を備え、メモリーギヤには該メモリーギヤがギヤプレートと噛合していない時に傾斜角度位置を記憶するために所定位置まで回動するように付勢するメモリースプリングを係合させると共にメモリーギヤが記憶した元の傾斜角度位置に復帰する時に所定位置でメモリーカムを押圧してメモリーカムの凹部からレバープレートの起立部を離脱させてロックオフ状態を解除してロックする突起を設けたものである。
【０００７】
本発明によるメモリーギヤにはロック時にメモリーギヤの外歯がギヤプレートの別の内歯と噛合しないように付勢されている補助メモリースプリングを備えると共にメモリーブラケットに移動可能に嵌合させたメモリーアームを係合させ、メモリーアームにはカム穴を形成し、レバーアームにはロックオフ時にメモリーアームを介してメモリーギヤを押圧してメモリーギヤの外歯をギヤプレートの内歯に噛合させるためメモリーアームのカム穴に係合する別の起立部を備えている。
【発明の効果】
【０００８】
本発明はメモリーギヤがロック時に所定位置に回動して傾斜角度位置を記憶するので、その傾斜角度位置を正確に記憶でき、また前倒し時にロックオフ状態を保持し、記憶した傾斜角度位置に復帰する時に所定位置でロックオフ状態を解除してロックするので、記憶した傾斜角度位置に正確かつ確実に復帰することが可能であり、しかもメモリーギヤとギヤプレートの回動を利用してシートバックの傾斜角度位置の記憶と、シートバックの前倒しと、記憶した傾斜角度位置の復帰とを行うので、メモリー機構の構造が簡単でありかつその作動が確実である。
【発明を実施するための最良の形態】
【０００９】
本発明によるリクライニング装置はベースプレート１と該ベースプレート１に対して回動可能にカバーブラケット２により結合されたギヤプレート３とを備え、ベースプレート１とギヤプレート３との間にはカム４に係合しかつギヤプレート３の内歯５に係脱可能な外歯６を有するロックギヤ７と、カム４に係合させたレバープレート８と、レバープレート８に係合させたメモリーアーム９と、メモリーアーム９を移動可能に嵌合させたメモリーブラケット１０と、レバープレート８とメモリーブラケット１０との間に配置させたワッシャー１１と、メモリーアーム９に係合させたメモリーギヤ１２と、メモリーブラケット１０に回動可能に取付けたメモリーカム１３と、メモリーブラケット１０に係止されかつメモリーギヤ１１を所定位置に付勢させるメモリースプリング１４とを備えている。
【００１０】
ロックギヤ７はベースプレート１に形成した固定ガイド１５間を摺動可能であると共に直径方向に互いに対向して配置され、その外周端にはギヤプレート３に形成した内歯５に係脱する外歯６を設け、その内周端を操作軸１６により回動されるカム４に係合してあり、その側部には可動ギヤ７ａを取付け、更にその上面にはレバープレート８に形成したカム孔１７により径内方向に摺動されるカム突起１８を形成してある。可動ギヤ７ａの上面にもレバープレート８に形成したカム孔１７ａにより径内方向に摺動されるカム突起１８ａを形成してある。
【００１１】
カム４は操作軸１６により回動可能であり、その上端及び下端をロックギヤ７に係合させ、その上面にはレバープレート８に形成した係合孔１９に嵌合する突起２０を形成してある。
【００１２】
レバープレート８はカム４の突起２０に嵌合する係合孔１９を備えると共にロックギヤ７のカム突起１８に係合するカム孔１７と可動ギヤ７ａのカム突起１８ａに係合するカム孔１７ａとを設け、その上面上には一端をカム４に係止させかつ他端をロックギヤ７の可動ギヤ７ａに係止させたロックスプリング２１を配設し、該ロックスプリング２１はロックギヤ７の外歯６がギヤプレート３の内歯５に噛合するようにカム４と可動ギヤ７ａとを付勢させてある。カム４とレバープレート８が操作軸１６により回動され、カム孔１７及びカム孔１７ａによりロックギヤ７と可動ギヤ７ａとを径内方向に摺動してロックギヤ７の外歯６をギヤプレート３の内歯５から離脱させてロックオフにする。更にレバープレート８にはメモリーアーム９に形成したカム孔２２に係合する起立部２３とメモリーカム１３に形成した凹部２４に係合可能な起立部２５とを備えている。
【００１３】
メモリーアーム９はレバープレート８の起立部２３に係合するカム孔２２を備えかつメモリーギヤ１２に形成した円弧段部２６に係合する外周円弧端２７を有し、メモリーブラケット１０に移動可能に嵌合されている。メモリーアーム９はロックオフ時にレバープレート８の起立部２３により移動し、メモリーギヤ１２の外歯２８をギヤプレート３の別の外歯２９に噛合させるためにメモリーギヤ１２を押圧する。
【００１４】
メモリーブラケット１０はメモリーアーム９を嵌合する凹部３０を有しかつベースプレート１の固定ガイド１５に取付けるための係止部３１を形成してあり、ギヤプレート３のボスを回動可能に支持する軸孔３２を形成してある。更にメモリーブラケット１０にはメモリースプリング１４と係合する支持突起３３を設けてあり、支持突起３３はロック時に傾斜角度位置を記憶するためにメモリースプリング１４を所定位置に復帰させる。
【００１５】
メモリーカム１３はレバープレート８の起立部２５に係脱する凹部２４を有し、メモリーブラケット１０に回動可能に取付けられている。メモリーカム１３は一端をメモリーカム１３に係止させかつ他端をメモリーブラケット１０に係止させたカムスプリング３４によりその一端がメモリーブラケット１０に設けた突起４１に係合すると共にその他端の凹部２４がレバープレート８の起立部２５に係合しないように付勢されている。
【００１６】
メモリーギヤ１２は外周にギヤプレート３に形成した別の内歯２９に噛合する外歯２８を備えると共にギヤプレート３に回動可能に支持される軸孔３５を有し、メモリーギヤ１２の外歯２８がギヤプレート３の別の内歯に噛合しないように付勢する補助メモリースプリング３６を設けている。更にメモリーギヤ１２にはメモリースプリング１４に係合する係合突起３７を備えると共にメモリーカム１３の一端を押圧してレバープレート８の起立部２５からメモリーカム１３の他端の凹部２４を離脱させる突起３８を備えている。
【００１７】
メモリースプリング１４はギヤプレート３のボスに回動可能に支持されている２つのリング片３９と、一方のリング片３９の一端と他方のリング片３９の一端とに係止させたスプリングとから構成され、該メモリースプリング１４はメモリーブラケット１０に形成した支持突起３３に係合されてメモリーギヤ１２の係合突起３７を支持し、メモリーギヤ１２を所定位置に付勢する。
【００１８】
ギヤプレート３はロックギヤ７の外歯６に係脱可能な内歯５を備えると共にメモリーギヤ１２の外歯２８に係脱可能な別の内歯２９を有し、更にギヤプレート３には前倒し時にメモリーカム１３を押圧してメモリーカム１３の凹部２４をレバープレート８の起立部２５に係合させてロックオフ状態を保持する突出部４０を設けている。
【００１９】
シートバックの傾斜角度位置の調整について説明すると、操作軸１６に係合させた操作レバー（図示せず）を解放させてカム４がロックスプリング２１により径外方向に押圧され、ロックギヤ７の外歯６がギヤプレート３の内歯５と噛合しかつメモリーギヤ１２が補助メモリースプリング３６により係内方向に付勢され、メモリーギヤ１２の外歯２８がギヤプレート３の別の内歯２９に噛合していないロック状態において（図２及び図３参照）、操作レバーを作動させると、カム４が回動してロックギヤ７を径内方向に摺動させてロックギヤ７の外歯６とギヤプレート３の内歯５との噛合を外し、同時にレバープレート８も回動して、レバープレート８の起立部２３がメモリーアーム９を径外方向に移動させ、メモリーアーム９がメモリーギヤ１２を径外方向に押し、メモリーギヤ１２の外歯２８がギヤプレート３の別の内歯２９と噛合する。このロックオフ状態（図４及び図５）において、シートバックを前後に回動させることにより、すなわちメモリーギヤ１２の外歯２８とギヤプレート３の内歯２９とが噛合した状態でギヤプレート３を時計廻り方向又は逆時計廻り方向に回転させると、メモリーギヤ１２もメモリースプリング１４の付勢力に抗してギヤプレート３とともに回転して新しい傾斜角度位置に位置付けされ、その位置で操作レバーを解放すると、ロックギヤの外歯６がギヤプレート３の内歯５に噛合し、同時にメモリーギヤ１２がメモリーブラケット１０の支持突起３３に支持されているメモリースプリング１４により所定位置に復帰して（図２及び図３）、調整した新しい傾斜角度位置を記憶したこととなる。
【００２０】
次にシートバックを前倒位置に移動させる状態を説明する。操作レバーの作動によるロックオフ状態において、シートバックを前倒しすると、ギヤプレート３の回転に伴ってメモリーギヤ１２が時計廻り方向に回転するが、メモリーブラケット１０とメモリーカム９は回転しないでそのままの状態であり（図７参照）、ギヤプレート３の回転によりギヤプレート３の突出部４０がメモリーカム１３を押圧し、カムスプリング３４に抗してメモリーカム１３を回動させ、レバープレート８の起立部２５にメモリーカム４の凹部２４を係合させることによりシートバックの前倒しを達成すると、レバープレート８はメモリーカム１３によりその回動が妨げられているので、ロックオフ状態が維持される。
【００２１】
シートバックを調整した元の傾斜角度位置に移動させるためには、シートバックを起こすと、ギヤプレート３の回転と共にメモリーギヤ１２が逆時計廻り方向に回転し、メモリーギヤ１２が前倒し前の所定位置まで戻ると（図８参照）、メモリーギヤ１２の突起３８がメモリーカム１３を押圧し、メモリーカム１３の凹部２４とレバープレート８の起立部２５との係合を外し、ロックオフ状態を解除してロックギヤ７の外歯６をギヤプレート３の内歯５に噛合させ、調整した元の傾斜角度位置でシートバックをロックする。
【図面の簡単な説明】
【００２２】
【図１】本発明によるリクライニング装置の分解斜視図である。
【図２】本発明によるリクライニング装置のロック時の縦断正面図である。
【図３】本発明によるリクライニング装置のロック状態を示す縦断正面図である。
【図４】本発明によるリクライニング装置のロックオフ時の縦断正面図である。
【図５】本発明によるリクライニング装置のロックオフ状態を示す縦断正面図である。
【図６】図５のＡ−Ａ線に沿う横断側面図である。
【図７】本発明によるリクライニング装置の前倒し時の縦断正面図である。
【図８】本発明によるリクライニング装置の復帰時の縦断正面図である。
【符号の説明】
【００２３】
１      ベースプレート
３      ギヤプレート
４      カム
５      内歯
６      外歯
７      ロックギヤ
８      レバープレート
１３    メモリーカム
１４    メモリースプリング
２４    凹部
２５    起立部
３８    突起
４０    突出部
【図１】
0005090223.tif 000002
【図２】
0005090223.tif 000003
【図３】
0005090223.tif 000004
【図４】
0005090223.tif 000005
【図５】
0005090223.tif 000006
【図６】
0005090223.tif 000007
【図７】
0005090223.tif 000008
【図８】
0005090223.tif 000009